(57)【特許請求の範囲】
【請求項１】
伝達すべき情報に応じた波形の電界強度をもつ電界が電界伝達媒体と大地間に誘起されたときに電界が誘起される場所に配置された電極と、該電極の電圧を増幅するとともに増幅後の波形により前記情報を検出する検出回路または該電極に前記情報に応じた波形の電圧を印加する発振回路を備える通信装置であって、
前記電極が、信号を送信する装置と該信号を検出する検出装置の間に位置するように使用され、
前記検出装置に信号が到達するように前記電極を構成した
ことを特徴とする通信装置。
【請求項２】
前記電極が、分割されている
ことを特徴とする請求項１記載の通信装置。
【請求項３】
前記電極が、開口部を備える
ことを特徴とする請求項１記載の通信装置。
【請求項４】
前記開口部が、スリットである
ことを特徴とする請求項３記載の通信装置。
【請求項５】
前記通信装置は、
前記電極である第１の電極に対向する第２の電極を備え、
前記検出回路は、
２つの電極間を避けて配置された
ことを特徴とする請求項１ないし４のいずれかに記載の通信装置。
【発明の詳細な説明】
【技術分野】
【０００１】
本発明は、信号を送信する装置と該信号を検出する検出装置の間に位置するように使用される通信装置に関する。
【背景技術】
【０００２】
近年においては、人体などの電界伝達媒体と大地間に電界を誘起させることにより情報を送受信する通信装置が開発されるようになった（非特許文献１参照）。
【非特許文献１】"RedTacton"、［ｏｎｌｉｎｅ］、日本電信電話株式会社、［平成１９年３月８日検索］、インターネット〈ＵＲＬ：http://www.redtacton.com/〉
【発明の開示】
【発明が解決しようとする課題】
【０００３】
特に昨今では、通信装置の小型化が実現可能となった。そのため、かかる通信装置が、うっかりＲＦ−ＩＤシステムとともに使用されることがある。具体的には、図６に示すように通信装置１０が、ＲＦ−ＩＤシステムで使用されるカード型の装置１０１とともに据え置き型の装置１０２にかざされることがある。
【０００４】
こうして通信装置１０が装置１０１と装置１０２間の信号を遮ることで、装置１０１と装置１０２間の通信が行えないという問題が発生する。
【０００５】
本発明は、上記の課題に鑑みてなされたものであり、その目的とするところは、信号を送信する装置と該信号を検出する検出装置の間の通信が行えないという問題の発生を防止することができる通信装置を提供することにある。
【課題を解決するための手段】
【０００６】
請求項１記載の本発明は、伝達すべき情報に応じた波形の電界強度をもつ電界が電界伝達媒体と大地間に誘起されたときに電界が誘起される場所に配置された電極と、該電極の電圧を増幅するとともに増幅後の波形により前記情報を検出する検出回路または該電極に前記情報に応じた波形の電圧を印加する発振回路を備える通信装置であって、前記電極が、信号を送信する装置と該信号を検出する検出装置の間に位置するように使用され、前記検出装置に信号が到達するように前記電極を構成したことを特徴とする通信装置をもって解決手段とする。
【０００７】
請求項１記載の本発明によれば、検出装置に信号が到達するように電極を構成したので、信号を送信する装置と該信号を検出する検出装置の間の通信が行えないという問題の発生を防止することができる。
【０００８】
請求項２記載の本発明は、前記電極が、分割されていることを特徴とする請求項１記載の通信装置をもって解決手段とする。
【０００９】
請求項２記載の本発明によれば、電極を分割したしたので、検出装置に信号が到達し、よって、通信が行えないという問題の発生を防止することができる。また、電極分割により隙間ができ、信号を発生させるアンテナの位置を隙間が横断するようになる可能性が高まるのでより好ましい。
【００１０】
請求項３記載の本発明は、前記電極が、開口部を備えることを特徴とする請求項１記載の通信装置をもって解決手段とする。
【００１１】
請求項３記載の本発明によれば、電極に開口部を設けたので、検出装置に信号が到達し、よって、通信が行えないという問題の発生を防止することができる。
【００１２】
請求項４記載の本発明は、前記開口部が、スリットであることを特徴とする請求項３記載の通信装置をもって解決手段とする。
【００１３】
請求項４記載の本発明によれば、開口部がスリットであるので、信号を発生させるアンテナの位置を開口部が横断するようになる可能性が高まるのでより好ましい。
【００１４】
請求項５記載の本発明は、前記通信装置は、前記電極である第１の電極に対向する第２の電極を備え、前記検出回路は、２つの電極間を避けて配置されたことを特徴とする請求項１ないし４のいずれかに記載の通信装置をもって解決手段とする。
【００１５】
請求項５記載の本発明によれば、電極間を避けて検出回路を配置したので、そこからのノイズが電極間の電界に重畳されず、情報検出ができないという問題の発生を防止することができる。
【発明の効果】
【００１６】
本発明によれば、検出装置に信号が到達するように電極を構成したので、信号を送信する装置と該信号を検出する検出装置の間の通信が行えないという問題の発生を防止することができる。
【発明を実施するための最良の形態】
【００１７】
以下、本発明の実施の形態を図面を参照して説明する。
【００１８】
［第１の実施の形態］
図１は、第１の実施の形態に係る通信装置１とそれがＲＦ−ＩＤシステムで使用されるカード型の装置などとともに使用されたときの様子を示す図であり、通信装置１については内部を分解して示す。図２は、通信装置１に設けられた検出回路１１の回路図である。
【００１９】
ＲＦ−ＩＤシステムとは、電磁結合方式、電磁誘導方式、電波方式等によって信号を送受信し、これにより、データの読み取り、書き込みを行うシステムである。
【００２０】
通信装置１は、相手の通信装置（不図示）から伝達される情報を検出するものである。
【００２１】
通信装置１は、カード型のケース１ｃと、その中の検出回路１１、電源Ｓおよび電極などを備える。検出回路１１は、筐体１１ｃに収納されている。
【００２２】
通信装置１にあっては、筐体１１ｃを挟むように電極ＰＳ１とＰＧ１が設けられている。また、電源Ｓを挟むように電極ＰＳ２とＰＧ２が設けられている。
【００２３】
電極ＰＳ１とＰＳ２、ならびに、電極ＰＧ１とＰＧ２は、それぞれリード線などにより導通している。
【００２４】
電極ＰＳ１は、リード線などにより、検出回路１１内の増幅器の入力端子に導通している。電極ＰＧ１は、リード線などにより、検出回路１１内のグランド配線に導通している。
【００２５】
この実施の形態では、相手の通信装置により、伝達すべき情報に応じた波形の電界強度をもつ電界が、通信装置１を所持するユーザの人体などの電界を伝達する媒体（電界伝達媒体という）と大地間に誘起される。
【００２６】
これにより通信装置１の電極ＰＳ１とＰＧ１間、電極ＰＳ２とＰＧ２間に電界が誘起される。
【００２７】
通信装置１の検出回路１１は、電極ＰＳ１の電圧を、電極ＰＧ１に導通するグランド配線の電位を基準にして増幅するとともに増幅後の波形により情報を検出する。
【００２８】
一方、相手の通信装置に情報を伝達するときは、検出回路１１を、例えば、図３に示す回路１２に置き換える。
【００２９】
電極ＰＳ１は、リード線などにより、この回路１２内の増幅器の入力端子と発振器の出力端子に導通している。電極ＰＧ１は、リード線などにより、この回路１２内のグランド配線に導通している。
【００３０】
相手の通信装置に情報を伝達するときの回路１２にあっては、発振器がその情報に応じた波形の電圧を電極ＰＳ１に印加する。これにより、情報に応じた電界強度をもつ電界が電界伝達媒体と大地間に誘起される。
【００３１】
これにより、相手の通信装置が通信装置１と同様に情報を検出する。なお、相手の通信装置に情報を伝達するだけなら、通信装置１から情報の検出機能を除いてもよい。
【００３２】
さて、通信装置１は、ＲＦ−ＩＤシステムとともに使用されることがある。具体的には、通信装置１は、ＲＦ−ＩＤシステムで使用される装置１０１とともに、その装置１０１から送信される信号を検出する検出装置である装置１０２にかざされることがある。
【００３３】
電極ＰＳ１とＰＳ２を設けたのは、本来ならば１枚でよい電極を電極ＰＳ１とＰＳ２に分割したのであり、電極ＰＧ１とＰＧ２も本来ならば１枚でよいものである。
【００３４】
そして、分割された電極間の隙間を覆わないように検出回路１１と電源Ｓを配置したので、装置１０１から装置１０２へ、また、装置１０２から装置１０１へ信号が到達し、よって、装置１０１と装置１０２間の通信が行えないという問題の発生を防止することができる。
【００３５】
なお、図４（ａ）に示すように、電極を３つ以上に分割してもよい。
【００３６】
また、図４（ｂ）に示すように、電極ＰＳ１とＰＳ２をあるいは電極ＰＧ１とＰＧ１を１枚の電極（電極Ｐとして図示する）で構成し、電極Ｐには開口部ＯＰを設けてもよい。また、開口部ＯＰをスリットにしてもよい。
【００３７】
電極を分割することや開口部ＯＰをスリットにすることで、ＲＦ−ＩＤシステムの信号を発生させるアンテナの位置を電極間の隙間や開口部ＯＰが横断するようになる可能性が高まるのでより好ましい。
【００３８】
［第２の実施の形態］
図５は、第２の実施の形態に係る通信装置１ＡとそれがＲＦ−ＩＤシステムで使用されるカード型の装置などとともに使用されたときの様子を示す図であり、通信装置１Ａについては内部を分解して示す。
【００３９】
通信装置１Ａは、通信装置１と同様に相手との通信を行うものであり、通信装置１とほぼ同様に構成される。ここでは、その構成要素には同一符号を付して重複説明を省略し、通信装置１Ａに特有の構成と作用を中心に説明する。
【００４０】
通信装置１Ａにあっては、検出回路１１の筐体１１ｃの外側に電極ＰＧ１が対向する。また、筐体１１ｃの外側に電極ＰＧ１と絶縁シートＩＳ１（紙など）を介して電極ＰＳ１が対向する。
【００４１】
また、電源Ｓの外側に電極ＰＧ２が対向する。電源Ｓの外側に電極ＰＧ２と絶縁シートＩＳ２（紙など）を介して電極ＰＳ２が対向する。
【００４２】
電極ＰＧ１とＰＧ２を１つの電極ＰＧと考え、電極ＰＳ１とＰＳ２を１つの電極ＰＳと考えると、第１の実施の形態では、電極ＰＳとＰＧ間に検出回路１１があるので、そこからのノイズが電極間の電界に重畳され、情報検出ができないという問題が発生する。
【００４３】
そこで、上記のように検出回路１１を電極ＰＳとＰＧ間を避けて設けたことで、検出回路１１からのノイズが電極ＰＳとＰＧ間の電界に重畳されず、情報検出ができないという問題の発生を防止することができる。
【００４４】
具体的には、検出回路１１を筐体１１ｃに収納し、筐体１１ｃの外側に電極ＰＧを対向させ、筐体１１ｃの外側に電極ＰＧを介して電極ＰＳを対向させることで、かかる効果が得られる。
【００４５】
また、検出回路１１を電極ＰＳとＰＧ間を避けて設けたことで、電極間の距離を短くできる。これにより、検出回路１１以外から電極間へのノイズ進入を防止することができる。
【図面の簡単な説明】
【００４６】
【図１】第１の実施の形態に係る通信装置１とそれがＲＦ−ＩＤシステムで使用されるカード型の装置などとともに使用されたときの様子を示す図である。
【図２】通信装置１に設けられた検出回路１１の回路図である。
【図３】検出回路１１に置換可能な回路１２の回路図である。
【図４】電極についての変形例を示す図である。
【図５】第２の実施の形態に係る通信装置１ＡとそれがＲＦ−ＩＤシステムで使用されるカード型の装置などとともに使用されたときの様子を示す図である。
【図６】通信装置が備える問題点を説明するため図である。
【符号の説明】
【００４７】
１、１Ａ…通信装置
１１…検出回路
１１ｃ…筐体
１０１、１０２…ＲＦ−ＩＤシステムで使用される装置
ＯＰ…開口部
Ｐ、ＰＧ、ＰＳ、ＰＧ１、ＰＧ２、ＰＳ１、ＰＳ２…電極
ＩＳ１、ＩＳ２  絶縁シート
Ｓ…電源
【図１】
0004388108.tif 000002
【図２】
0004388108.tif 000003
【図３】
0004388108.tif 000004
【図４】
0004388108.tif 000005
【図５】
0004388108.tif 000006
【図６】
0004388108.tif 000007